(57)【要約】【課題】長期間にわたり安定した装飾性と引き出し荷重に対する前壁面の強度剛性を確保する。【解決手段】開閉扉１５を備えた冷蔵庫本体３の庫内５に、後壁面２５、両側壁面２７及びそれら後壁面２５、両側壁面２７より一段低い前壁面２３とで上方が開放された引き出し可能な収納容器２１を配置し、前記収納容器２１の前壁面２３、前記収納容器２１の両側壁面２７の一方に設けられた係合孔３５と他方に設けられた貫通孔３７とによりそれぞれ両端部が固定支持され、前記前壁面２３の上端部に沿って密着配置された金属でできた棒状の装飾部材３９を設け、装飾部材３９を引き出し方向の強度メンバーとして働らくようにする。【選択図】図１
2010043774.tif 000002
【特許請求の範囲】
【請求項１】
開閉扉を備えた冷蔵庫本体の庫内に、上方が開放された引き出し可能な収納容器を配置し、
前記収納容器は、後壁面、両側壁面及びそれら後壁面、両側壁面より一段低い前壁面とで形成され、前記前壁面には、前記収納容器の両側壁面の一方に設けられた係合孔と他方に設けられた貫通孔とによりそれぞれ両端部が固定支持され前記前壁面の上端部に沿って密着配置された金属でできた棒状の装飾部材が設けられていることを特徴とする冷蔵庫。
【請求項２】
前記棒状の装飾部材は、前記前壁面の上端部に沿って設けられた断面Ｕ字状の保持溝内に密着配置されていることを特徴とする請求項１記載の冷蔵庫。
【請求項３】
前記保持溝は、前記装飾部材の直径に対して少なくとも半分以上の深さに作られていることを特徴とする請求項２に記載の冷蔵庫。
【請求項４】
前記棒状に形成された装飾部材の一方の端部は、収納容器の一方の側壁の貫通孔より大きく形成された回転防止部を備えていることを特徴とする請求項１記載の冷蔵庫。
【請求項５】
前記装飾部材の一方の端部が係合される収納容器側壁の係合孔は、貫通した開口孔に形成されていることを特徴とする請求項１記載の冷蔵庫。
【請求項６】
前記収納容器の側壁に設けられた貫通孔は、前記装飾部材が抜け出るのを阻止するキャップによって閉塞されていることを特徴とする請求項１記載の冷蔵庫。
【請求項７】
前記キャップは、装飾部材の回転防止部が当接し合う回転阻止当接部を備えていることを特徴とする請求項６記載の冷蔵庫。
【請求項８】
前記キャップは、貫通孔への装着時に装着、係合させるための係合爪とつまみ取手部とを有していることを特徴とする請求項６又は７のいずれかに記載の冷蔵庫。
【発明の詳細な説明】
【技術分野】
【０００１】
本発明は、開閉扉を備えた庫内に、引き出し式の収納容器が配置された冷蔵庫に関する。
【背景技術】
【０００２】
開閉扉を備えた庫内に配置される引き出し式の収納容器は、開閉扉を開けた後、前方へ引き出すことで収納容器内の出し入れが可能となっている。
【０００３】
収納容器は、図９に示す如く後壁面１０１、両側壁面１０３及び前壁面１０５とで上方が大きく開放された形状に作られていて、前壁面１０５は、前方から出し入れし易いように後壁面１０１及び両側壁面１０３より一段低い形状に作られている。前壁面１０５の下部は下から上へむかって４本の指を入れて手前へ引き出すための幅方向に長い取手部１０７となっている。
【０００４】
前壁面１０５は前記した如く前方から出し入れし易いように背の低い形状に作られる一方、品質感の向上を図るために前壁面１０５の上端部に沿って装飾テープ１０９が貼りつけられた構造となっている。
【０００５】
収納容器は前壁面１０５の取手部１０７を持って引き出すようになるが、前壁面１０５は前方から出し入れし易いように背の低い立上り壁となっているため、収納容器を出し入れする時につい前壁面１０５の上端部に手をかけて引き出すようになる。この動作が長期間にわたって繰り返されることで装飾テープ１０９の剥がれが発生し、逆に見苦しくなる等の問題を招いている。
【０００６】
この場合、装飾テープの剥がれの問題を解消する手段として、収納容器ではないが、例えば、庫内を上下に仕切る仕切る棚板の前端部に沿って装飾を兼ねる補強部材が設けられたものが公知となっている。
【特許文献１】特開平５−２４０５７３号公報
【発明の開示】
【発明が解決しようとする課題】
【０００７】
棚板は前端部に沿って設けられた補強部材によって、装飾性と上方からの荷重に対して強度剛性の向上が図れるが、この補強部材は収納容器のように引き出す時の前後方向の引き出し荷重を受け止める補強手段にはなっていない。
【０００８】
そこで、本発明にあっては長期間に亘り安定した装飾性が得られると共に前後方向の引き出し荷重に対しても強度剛性が確保される冷蔵庫を提供することを目的としている。
【課題を解決するための手段】
【０００９】
前記目的を達成するために、本発明にあっては、開閉扉を備えた冷蔵庫本体の庫内に、上方が開放された引き出し可能な収納容器を配置し、前記収納容器は、後壁面、両側壁面及びそれら後壁面、両側壁面より一段低い前壁面とで形成され、前記前壁面には、前記収納容器の両側壁面の一方に設けられた係合孔と他方に設けられた貫通孔とによりそれぞれ両端部が固定支持され前記前壁面の上端部に沿って密着配置された金属でできた棒状の装飾部材が設けられていることを特徴とする。
【発明の効果】
【００１０】
本発明によれば、取手部を持たずに前壁面の上端部に手をかけて引き出したとしても、その水平方向の引き出し荷重に対して装飾部材は上端部に対して密着固定されている点と、係合孔、貫通孔とにより両端部が固定支持された条件と相俟って、高い強度剛性を発揮することができる。この結果、前壁面の薄肉化が可能になると共に、長期間にわたって装飾部材による安定した装飾性の維持を図ることができる。
【発明を実施するための最良の形態】
【００１１】
本発明を実施するにあたって、第１に、前記棒状の装飾部材を、前記前壁面の上端部に沿って設けられた断面Ｕ字状の保持溝内に密着配置することで、装飾部材の位置決めされた状態が長期間にわたって安定して得られるようにすることが望ましい。
【００１２】
第２に、前記保持溝を、前記装飾部材の直径に対して少なくとも半分以上の深さにすることで、装飾性を確保しながら外れ出ることのない確実なセット状態が安定して得られるようにすることが望ましい。
【００１３】
第３に、前記棒状に形成された装飾部材の一方の端部に、収納容器の一方の側壁の貫通孔より大きく形成された回転防止部を備えるようにすることで、回転防止部が装飾部材挿入時のストッパー部材としても機能するようにすることが望ましい。
【００１４】
第４に、前記装飾部材の一方の端部が係合される収納容器側壁の係合孔を、貫通した開口孔に形成することで、装飾部材が熱で伸長した時に開口孔によってその伸長量を吸収し、収納容器側壁に損傷等につながる負荷が働かないようにすることと型抜きし易いようにすることが望ましい。
【００１５】
第５に、前記収納容器の側壁に設けられた貫通孔を、前記装飾部材が抜け出るのを阻止するキャップによって閉塞し、見栄えの確保と汚れた時に洗えるように装飾部材の取外しが容易に行なえるようにすることが望ましい。
【００１６】
第６に、前記キャップに、装飾部材の回転防止部が当接し合う回転阻止当接部を備えるようにすることで、簡単な手段で装飾部材の回転が起きないようにすることが望ましい。
【００１７】
第７に、前記キャップに、貫通孔への装着時に装着、係合させるための係合爪とつまみ取手部とを有するようにすることで、必要に応じてキャップの取付け、取外しが容易に行なえるようにすることが望ましい。
【実施例】
【００１８】
以下、図１乃至図８の図面を参照しながら本発明の実施形態について具体的に説明する。
【００１９】
図８は本発明に係る冷蔵庫の概要正面図を示している。冷蔵庫１の冷蔵庫本体３は上から順に冷蔵室５と左右に配置された製氷室７及び切替室９と冷凍室１１となっている。この場合、冷凍室１１の外に野菜室を備える構造であってもよい。
【００２０】
冷蔵室５は、前面がヒンジ１３を支点として開閉する開閉扉１５となっていて、左右の開閉扉１５の内側は上下４段に仕切られたドアポケット１７が設けられている。
【００２１】
庫内は、仕切棚１９によって上下６段に仕切られ、上から５段目は本発明にかかる収納容器２１が配置セットされた構造となっている。
【００２２】
収納容器２１は、両サイドに設けられたガイドレール（図示していない）によって引き出し可能となっていて、図１に示す如く前壁面２３、後壁面２５、両側壁面２７とにより上方が大きく開放された形状に作られている。
【００２３】
床板２９は波板状に作られる一方、前壁面２３は前方から容易に食品等の出し入れができるように後壁面２５及び両側壁面２７より一段低い立上り壁となっている。
【００２４】
前壁面２３の下部には、下から上へ向かって指を入れて引き出すための取手部３１が幅方向に沿って形成されている。
【００２５】
前壁面２３の上端部は図２に示す如く断面Ｕ字状の連続した保持溝３３となっていて、保持溝３３の延長線上で収納容器２１の両側壁面２７の一方、正面左側には図３の如く係合孔３５が、他方には図５の如く貫通孔３７がそれぞれ設けられている。
【００２６】
保持溝３３には前記した一方の貫通孔３７から挿入された金属でできた棒状の装飾部材３９が配置セットされ、装飾部材３９の一端は係合孔３５に、他端は貫通孔３７によってそれぞれ両端の固定支持状態が確保されている。
【００２７】
装飾部材３９は、図２に示す如く装飾性を備えたステンレスの材質で断面円形の棒状に作られ、一端は図５に示す如く貫通孔３７の孔径より径大な回転防止部４１となっている。回転防止部４１は装飾部材３９の一方の端部に上下から圧力を加えることで断面板状に形成され、後述するキャップ４３の回転阻止当接部４５と当接可能となっている。これにより装飾部材３９の回転する動きが阻止される。
【００２８】
保持溝３３は、前記装飾部材３９の直径に対して少なくとも半分以上の深さに作られ、装飾部材３９が正しく位置決めされた状態で長期間にわたり安定して確実に保持される形状となっている。
【００２９】
係合孔３５は図３に示す如く貫通した開口孔となっていて、装飾部材３９が熱で伸長した時に開口孔によってその伸長量の吸収を図り、損傷等につながる負荷が収納容器２１の側壁面２７に働らくようになるのを抑える役目と、型抜きが容易となる役目を有する。
【００３０】
貫通孔３７は、図５に示す如く装飾部材３９を保持溝３３に沿って係合孔３５まで挿入する時の挿入口となっていて、図６、図７に示す如くキャップ４３により閉塞されている。
【００３１】
キャップ４３は、前記貫通孔３７が設けられた組付け部４７に対して着脱自在に組付け可能となっている。
【００３２】
キャップ４３の裏面には装飾部材３９の回転阻止部４１と当接し合う回転阻止当接部４５と、取付け部４７への取付け時に組付け部４７の凹部周縁部と係合し合う係合爪４９と組付け部４７の係合凹部５１に対して下から上方へ向けて係合させる係合舌片部５３の外に位置決めリブ５５とを有し、キャップ４３の右側は指で挟んで持つためのつまみ取手部５７となっている。
【００３３】
このように構成された冷蔵庫１の収納容器２１によれば、図２に示す如く正面に見える前壁面２３は、上端部に沿って装飾部材３９が配置セットされているため、例えば、前壁面２３となる上端部に手をかけて引き出す操作を繰り返したとしても接着剥がれという問題は起こらず装飾性が確保され長期間にわたり安定した見栄えの向上が図れる。
【００３４】
この場合、例えば、収納容器２１内に多数の食品が入れられた重量のある状態において、前壁面２３に働らく引き出し時の引張り荷重は両端支持された金属でできた棒状の装飾部材３９で受け止めるため、確実な強度剛性が得られると共に、保持溝３３によって動くことのない確実な位置決めセット状態が得られる。しかも、回転防止部４１によって品質感を低下させる回転が起きることもなくなる。
【００３５】
一方、長期間の使用で装飾部材３９が汚れた時にはキャップ４３を外せば装飾部材３９を簡単に抜き出すことが可能となり、きれいに洗浄することができる。
【００３６】
また、装飾部材３９を挿入する時は回転防止部４１が貫通孔３７に当るまで挿入し、キャップ４３を取付れば迅速に装飾部材３９の組付け作業が完了する。
【図面の簡単な説明】
【００３７】
【図１】本発明にかかる収納容器の概要斜視図。
【図２】図１のＡ部の概要拡大斜視図。
【図３】図１のＢ部の概要拡大斜視図。
【図４】図１のＣ部の概要拡大斜視図。
【図５】図４の貫通孔の部分を示した概要切断説明図。
【図６】収納容器側壁の組付け部にキャップを取り付けた状態の切断説明図。
【図７】収納容器側壁の組付け部をキャップによって閉塞した状態を示す概要説明図。
【図８】開閉扉を開けて収納容器を示した冷蔵庫の概要正面図。
【図９】従来例を示した収納容器の概要斜視図。
【符号の説明】
【００３８】
３    冷蔵庫本体
５    冷蔵室（庫内）
２１    収納容器
２３    前壁面
２５    後壁面
２７    両側壁面
３３    保持溝
３５    係合孔
３７    貫通孔
３９    装飾部材
４１    回転防止部
４３    キャップ
４５    回転阻止当接部
４７    取付け部
４９    係合爪
５７    つまみ取付部
【図１】
2010043774.tif 000003
【図２】
2010043774.tif 000004
【図３】
2010043774.tif 000005
【図４】
2010043774.tif 000006
【図５】
2010043774.tif 000007
【図６】
2010043774.tif 000008
【図７】
2010043774.tif 000009
【図８】
2010043774.tif 000010
【図９】
2010043774.tif 000011